(57)【要約】【課題】綴じられている用紙を指で押さえたり挟んだりしていてもリング部を容易に開くことができる綴じ具を提供する。【解決手段】直線状に並んで複数の綴じ孔９８が形成された用紙９０を綴じるための綴じ具７０であって、複数のリング部８０の他方の端部８０ｂが開いた状態において綴じ孔９８に挿通されることにより、載置部に載置された用紙９０を位置決めする位置決め突部５８を備え、位置決め突部５８の第１の方向の下流側端辺５８ａが、リング部８０の他方の端部８０ｂが閉じた状態を平面視したとき、リング部８０の第１の方向の下流側端辺８０ｃよりも所望の距離だけ下流側に位置し、所望の距離は、係合手段の係合が外れるように軸部材７２が第１の方向に移動する距離に等しいまたは移動する距離よりも大きい距離であることを特徴とする。【選択図】図２５
2016165881.tif 000002
【特許請求の範囲】
【請求項１】
直線状に並んで複数の綴じ孔が形成された用紙を綴じるための綴じ具であって、
前記複数の綴じ孔に対応し、直線状に並んで形成された複数のリング部と、
前記複数のリング部が並ぶ方向に沿って延び、前記複数のリング部それぞれの一方の端部が一体的に接続された軸部材と、
前記用紙のうち少なくとも前記複数の綴じ孔が形成された部分を載置するための載置部と、
前記用紙が綴じられた状態を維持するため、前記複数のリング部の他方の端部が閉じた状態を維持するように係合し、前記軸部材および前記複数のリング部を前記複数のリング部が並ぶ方向に沿った第１の方向に移動させることによりその係合が外れるように構成された係合手段と、
前記載置部から突設され、前記複数のリング部の他方の端部が閉じた状態のとき、前記複数のリング部のうちいずれかの他方の端部と連なって略リング状を形成し、前記複数のリング部の他方の端部が開いた状態において前記綴じ孔に挿通されることにより、前記載置部に載置された用紙を位置決めする位置決め突部とを備え、
前記位置決め突部の前記第１の方向の下流側端辺が、前記リング部の他方の端部が閉じた状態を平面視したとき、前記リング部の前記第１の方向の下流側端辺よりも所望の距離だけ下流側に位置し、前記所望の距離は、前記係合手段の係合が外れるように前記軸部材が第１の方向に移動する距離に等しいまたは移動する距離よりも大きい距離であることを特徴とする、綴じ具。
【請求項２】
前記位置決め突部の前記第１の方向の上流側端辺が、前記リング部の他方の端部が閉じた状態を平面視したとき、前記リング部の上流側端辺と一直線状またはほぼ一直線状になる、請求項１に記載の綴じ具。
【請求項３】
前記複数のリング部が並ぶ方向に沿った前記第１の方向とは反対向きの第２の方向に前記軸部材を付勢することにより、前記リング部の他方の端部が閉じた状態を維持する付勢手段をさらに備える、請求項１または２に記載の綴じ具。
【請求項４】
前記表表紙部と、前記表表紙部に対向する裏表紙部と、前記表表紙部および前記裏表紙部を一体的に接続する背表紙部とを含む表紙本体と、
前記表紙本体の背表紙部に沿って取り付けられる請求項１〜３のいずれかに記載の綴じ具とを備える表紙。
【請求項５】
前記綴じ具の位置決め突部は、前記裏表紙部の内面から突設され、閉じられたときの前記表表紙部の内面もしくは内面の近傍、または外面もしくは外面の近傍まで延びる、請求項４に記載の表紙。
【発明の詳細な説明】
【技術分野】
【０００１】
この発明は、綴じ具およびそれを備える表紙に関し、特に、複数のリング部などを複数のリング部が並ぶ方向に沿った方向に移動することによってリング部を開くことができる綴じ具およびそれを備える表紙に関する。
【背景技術】
【０００２】
この発明の背景となる従来の綴じ具の一例が、たとえば特開２００５−０６６８５５号公報に開示されている（特許文献１参照）。特許文献１に開示されている綴じ具は、ファイルの表紙等の被固定物に固定される固定面と、用箋等の被綴じ物を載置する被綴じ物載置面とを有する、長尺状の固定部材と、固定部材に回動可能に支持され、固定部材の固定面とは異なる被綴じ物載置面側に輪を形成する綴じ杆と、固定部材に移動可能に設けられ、綴じ杆の先端近傍に係止するように形成された、操作部材とを備え、固定部材の被綴じ物載置面の近傍において、操作部材の係止部と綴じ杆の先端近傍とが係止されるように形成されているものである。この綴じ具は、容易に綴じ杆を開閉することができる綴じ具を提供することを目的として考えられたものである。
【先行技術文献】
【特許文献】
【０００３】
【特許文献１】特開２００５−０６６８５５号公報
【発明の概要】
【発明が解決しようとする課題】
【０００４】
特許文献１に開示されている綴じ具には、たとえばファイルや手帳などの帳面の表紙の内側に形成されたリング綴じ具などの綴じ具に、複数の綴じ孔が形成された用紙を綴じる場合がある。この場合、綴じ具の綴じ杆ないしはリング部が、用紙に形成された綴じ孔に挿通される。しかしながら、特許文献１に開示されている綴じ具では、綴じられている用紙を指で押さえたり挟んだりすると、用紙が綴じ杆ないしはリング部を固定してしまい、綴じ杆ないしはリング部が開かない場合がある。
【０００５】
それゆえに、この発明の主たる目的は、綴じられている用紙を指で押さえたり挟んだりしていてもリング部を容易に開くことができる綴じ具を提供することである。
この発明の他の目的は、綴じられている用紙を指で押さえたり挟んだりしていてもリング部を容易に開くことができる綴じ具を備える表紙提供することである。
【課題を解決するための手段】
【０００６】
この発明に係る綴じ具は、直線状に並んで複数の綴じ孔が形成された用紙を綴じるための綴じ具であって、複数の綴じ孔に対応し、直線状に並んで形成された複数のリング部と、複数のリング部が並ぶ方向に沿って延び、複数のリング部それぞれの一方の端部が一体的に接続された軸部材と、用紙のうち少なくとも複数の綴じ孔が形成された部分を載置するための載置部と、用紙が綴じられた状態を維持するため、複数のリング部の他方の端部が閉じた状態を維持するように係合し、軸部材および複数のリング部を複数のリング部が並ぶ方向に沿った第１の方向に移動させることによりその係合が外れるように構成された係合手段と、載置部から突設され、複数のリング部の他方の端部が閉じた状態のとき、複数のリング部のうちいずれかの他方の端部と連なって略リング状を形成し、複数のリング部の他方の端部が開いた状態において綴じ孔に挿通されることにより、載置部に載置された用紙を位置決めする位置決め突部とを備え、位置決め突部の第１の方向の下流側端辺が、リング部の他方の端部が閉じた状態を平面視したとき、リング部の第１の方向の下流側端辺よりも所望の距離だけ下流側に位置し、所望の距離は、係合手段の係合が外れるように軸部材が第１の方向に移動する距離に等しいまたは移動する距離よりも大きい距離であることを特徴とする、綴じ具である。
好ましくは、この発明に係る綴じ具が備える位置決め突部の第１の方向の上流側端辺が、リング部の他方の端部が閉じた状態を平面視したとき、リング部の上流側端辺と一直線状またはほぼ一直線状になる。
好ましくは、この発明に係る綴じ具は、複数のリング部が並ぶ方向に沿った第１の方向とは反対向きの第２の方向に軸部材を付勢することにより、リング部の他方の端部が閉じた状態を維持する付勢手段をさらに備える。
この発明に係る表紙は、表表紙部と、表表紙部に対向する裏表紙部と、表表紙部および裏表紙部を一体的に接続する背表紙部とを含む表紙本体と、表紙本体の背表紙部に沿って取り付けられる請求項１〜３のいずれかに記載の綴じ具とを備える。
この発明に係る表紙は、綴じ具の位置決め突部は、裏表紙部の内面から突設され、表表紙部の閉じられたときの内面または内面の近傍までのびる。
【発明の効果】
【０００７】
この発明によれば、綴じられている用紙を指で押さえたり挟んだりしていてもリング部を容易に開くことができる綴じ具を提供し得る。
また、この発明によれば、綴じられている用紙を指で押さえたり挟んだりしていてもリング部を容易に開くことができる綴じ具を備える表紙を提供し得る。
【０００８】
この発明の上述の目的、その他の目的、特徴および利点は、図面を参照して行う以下の発明を実施するための形態の説明から一層明らかとなろう。
なお、図２８に示すように、明細書において記載する高さ方向とは、表紙の上下方向および綴じ具の長手方向、並びに綴じ具に綴じられる用紙またはインデックスシートの綴じ代に沿う方向のことをいう。また、幅方向とは、当該高さ方向に直交する方向のことをいう。
【図面の簡単な説明】
【０００９】
【図１】この発明の一実施の形態に係る手帳の見開いた状態を示す斜視図である。
【図２】図１に示す手帳に用いられる表紙の見開いた状態を内側から見たときの平面    図である。
【図３】図１に示す手帳に用いられる表紙の見開いた状態を外側から見たときの平面    図である。
【図４】図１に示す手帳に用いられる表紙および綴じ具の見開いた状態を内側から見    たときの平面図である。
【図５】図４に示す表紙および綴じ具のＶ−Ｖ断面図である。
【図６】図１に示す手帳に用いられる表紙および綴じ具の閉じた状態を表表紙部側か    ら見たときの平面図である。
【図７】図１に示す手帳に用いられる用紙を示す平面図である。
【図８】図１に示す手帳に用いられる第１のシートを示す平面図である。
【図９】図１に示す手帳に用いられる第２のシートを示す平面図である。
【図１０】図１に示す手帳に用いられる第３のシートを示す平面図である。
【図１１】図１に示す手帳の、第１のシートが最上面となるように見開いた状態を示    す平面図である。
【図１２】図１に示す手帳の、第２のシートが最上面となるように見開いた状態を示    す平面図である。
【図１３】図１に示す手帳の、第３のシートが最上面となるように見開いた状態を示    す平面図である。
【図１４】図１に示す手帳の閉じた状態を表表紙部側から見たときを示す平面図であ    る。
【図１５】図１４に示す手帳のＸＶ−ＸＶ断面図である。
【図１６】図１に示す手帳の、第１のシートの第１の変形例が最上面となるように見    開いた状態を示す平面図である。
【図１７】図１に示す手帳の、第２のシートの第１の変形例が最上面となるように見    開いた状態を示す平面図である。
【図１８】図１に示す手帳の、第３のシートの第１の変形例が最上面となるように見    開いた状態を示す平面図である。
【図１９】図１に示す手帳の、第１のシートの第２の変形例が最上面となるように見    開いた状態を示す平面図である。
【図２０】図１に示す手帳の、第１のシートの第３の変形例が最上面となるように見    開いた状態を示す平面図である。
【図２１】図１に示す手帳の、第１のシートの第４の変形例が最上面となるように見    開いた状態を示す平面図である。
【図２２】図１に示す手帳の、第１のシートの第５の変形例が最上面となるように見    開いた状態を示す平面図である。
【図２３】図１に示す手帳の、第１のシートの第６の変形例が最上面となるように見    開いた状態を示す平面図である。
【図２４】図１１に示す手帳のＸＸＩＶ−ＸＸＩＶ図断面図である。
【図２５】この発明の一実施の形態に係る綴じ具が備える位置決め突部近傍の平面図であり、（Ａ）が複数のリング部の他方の端部が閉じた状態のときの図、（Ｂ）が軸部材および複数のリング部を上方（第１の方向）に移動させた状態の図である。
【図２６】この発明の一実施の形態に係る綴じ具が備える位置決め突部近傍の側面から見たときの断面図であり、（Ａ）が図２５（Ａ）に対応した断面図、（Ｂ）が図２５（Ｂ）に対応した断面図である。
【図２７】この発明の一実施の形態に係る綴じ具が備える位置決め突部の下側端辺（上流側端辺）が、リング部の下側端辺（上流側端辺）と一直線状またはほぼ一直線状にならないように形成された場合の位置決め突部近傍の平面図である。
【図２８】この発明に係る手帳の方向を説明するための図である。
【図２９】従来の位置決め突部近傍の複数のリング部の他方の端部が閉じた状態のときの平面図である。
【発明を実施するための形態】
【００１０】
＜全体的な構成について＞
以下、この発明の一実施の形態に係る手帳について、図面を参照しながら説明する。図１は、この実施の形態に係る手帳の見開いた状態を示す斜視図である。この実施の形態に係る手帳１０は、図１に示すように、ポリプロピレンなどの合成樹脂で形成された表紙１２と、表紙１２に固定された綴じ具７０と、綴じ具７０によって表紙１２に綴じられた複数枚の用紙９０と、同じく綴じ具７０によって表紙１２に綴じられた透明または半透明のポリプロピレンなどの合成樹脂で形成されたインデックスシート１００とを備える。
【００１１】
インデックスシート１００は、綴じ具７０に一緒に綴じられた複数枚の用紙９０の索引に用いるためのものであり、第１のシート１２０、第２のシート１４０および第３のシート１６０を含む。第１のシート１２０、第２のシート１４０および第３のシート１６０それぞれは、後述するインデックス部１２６，１４６，１６６をそれぞれ有するが、そのインデックス部１２６，１４６，１６６が、高さ方向において互いに異なる位置に形成される。
【００１２】
綴じ具７０は、開閉可能な複数のリング部８０を含み、この複数のリング部８０を開閉させて、表紙１２に用紙９０および第１のシート１２０、第２のシート１４０および第３のシート１６０を綴じ込む。積層された複数枚の用紙９０の最も上にある用紙９０の上面（すなわち、最上面）に第１のシート１２０が綴じられ、その次に複数枚のうちの何枚かの用紙９０が綴じられ、その次に第２のシート１４０が綴じられ、その次に複数枚のうちの何枚かの用紙９０が綴じられ、その次に第３のシート１６０が綴じられ、最後に複数枚のうちの残りの用紙９０が綴じられる。
【００１３】
＜表紙１２について＞
図２は、図１に示す手帳に用いられる表紙の見開いた状態を内側から見たときの平面図である。また、図３は、図１に示す手帳に用いられる表紙の見開いた状態を外側から見たときの平面図である。表紙１２は、図２および図３に示すように、表表紙部２０と、裏表紙部４０と、表表紙部２０および裏表紙部４０を接続する背表紙部６８とを含む。
【００１４】
表表紙部２０は、背表紙部６８側の端辺に沿って直線状に並んで形成された複数のリング嵌合孔２２と、中央の２つのリング嵌合孔２２の間に形成された仮留め凸部２４と、背表紙部６８と反対側の端辺を抉るように、湾曲して凹むように形成された表インデックス覗見凹部３０とを有する。リング嵌合孔２２それぞれは、背表紙部６８の長手方向（すなわち、表紙１２の高さ方向）に直交した方向にのびる矩形状に形成される。また、その幅方向（すなわち、表紙１２の幅方向）の寸法は、リング部８０のそれよりもやや大きい。仮留め凸部２４は、表表紙部２０の内面２０ａから突出する部分と、２つのリング嵌合孔２２の互いに対向する側壁から突出する部分とを有する。
【００１５】
表インデックス覗見凹部３０は、表紙１２を閉じた状態にしても、表表紙部２０の側から後述するインデックス部１２６，１４６，１６６を視認できるようにするために設けられる。表インデックス覗見凹部３０は、互いに連続的に形成された第１の表インデックス覗見凹部３２と、第２の表インデックス覗見凹部３４と、第３の表インデックス覗見凹部３６とを有する。また、第１の表インデックス覗見凹部３２が後述する第１のシート１２０のインデックス部１２６に対応した位置に形成され、第２の表インデックス覗見凹部３４が後述する第２のシート１４０のインデックス部１４６に対応した位置に形成され、第３の表インデックス覗見凹部３６が後述する第３のシート１６０のインデックス部１６６に対応した位置に形成される。
【００１６】
裏表紙部４０は、その内面４０ａに、背表紙部６８側の端辺に沿って直線状に形成された固定部４２と、固定部４２に対向するように直線状に形成された係合部５２と、背表紙部６８とは反対側の端辺を抉るように、湾曲して凹むように形成された裏インデックス覗見凹部６０とを有する。固定部４２は、綴じ具７０を固定するために配設されるものであり、背表紙部６８側の端辺に沿って直線状に凹む固定凹部４４と、固定凹部４４上に直線状に互いに所定の距離だけ離間して並んで突設される複数の第１の固定凸孔４６とを有する。第１の固定凸孔４６それぞれは、固定凹部４４の延在する方向（すなわち、表紙１２の高さ方向）に貫通する孔を有する。また、係合部５２は、綴じ具７０のリング部８０の他方の端部８０ｂを係合するために配設されるものであり、直線状に並んで形成される複数の係合凹部５４と、複数の係合凹部５４の間に同一直線状に並んで形成される複数の係合孔５６とを有する。
【００１７】
裏インデックス覗見凹部６０は、表紙１２を閉じた状態にしても、裏表紙部４０の側から後述するインデックス部１２６，１４６，１６６を視認できるようにするために設けられる。裏インデックス覗見凹部６０は、上述した表インデックス覗見凹部３０を鏡映したような形状を有する。すなわち、裏インデックス覗見凹部６０は、互いに連続的に形成された第１の裏インデックス覗見凹部６２と、第２の裏インデックス覗見凹部６４と、第３の裏インデックス覗見凹部６６とを有する。また、第１の裏インデックス覗見凹部６２が後述する第１のシート１２０のインデックス部１２６に対応した位置に形成され、第２の裏インデックス覗見凹部６４が後述する第２のシート１４０のインデックス部１６６に対応した位置に形成され、第３の裏インデックス覗見凹部６６が後述する第３のシート１６０のインデックス部１６６に対応した位置に形成される。
【００１８】
＜綴じ具７０について＞
図４は、図１に示す手帳に用いられる表紙および綴じ具の見開いた状態を内側から見たときの平面図である。また、図５は、図４に示す表紙および綴じ具のＶ−Ｖ断面図である。綴じ具７０は、図４および図５に示すように、長手方向にのびる軸部材７２と、軸部材７２上に一体的に等間隔に並んで形成された複数のリング部８０とを含む。軸部材７２は、背表紙部６８に沿ってのびる本軸部７４と、本軸部７４の背表紙部６８側に直線状に互いに所定の距離だけ離間して並んで突設される複数の第２の固定凸孔７６とを有する。第２の固定凸孔７６それぞれは、軸部材７２がのびる方向に貫通する孔を有する。また、第２の固定凸孔７６それぞれは、上述した直線状に互いに所定の距離だけ離間して並んで形成される第１の固定凸孔４６の間に入り込むように形成される。
【００１９】
すなわち、軸部材７２の第２の固定凸孔７６と、裏表紙部４０の第１の固定凸孔４６とが交互に背表紙部６８に沿って直線状に並ぶ態様になる。したがって、第２の固定凸孔７６が有する孔と、裏表紙部４０の第１の固定凸孔４６が有する孔とが直線状に連なって、一つの軸孔２１０を形成する。この軸孔２１０に長手方向にのびる棒部材２２０を挿通することにより、綴じ具７０を裏表紙部４０に形成された固定部４２に固定する。なお、綴じ具７０の両端部に位置する第２の固定凸孔７６それぞれの孔の端部側は塞がれており、この形状により棒部材２２０が位置決めされる。綴じ具７０は、リング部材８０の他方の端部８０ｂそれぞれが上述した裏表紙部４０に形成される係合凹部５４または係合孔５６に係合されることにより、綴じた状態になる。また、綴じ具７０は、リング部材８０の他方の端部８０ｂそれぞれと、係合凹部５４それぞれ、または係合孔５６それぞれとの係合が外れることにより、開いた状態になる。
【００２０】
図６は、図１に示す手帳に用いられる表紙および綴じ具の閉じた状態を表表紙部側から見たときの平面図である。図６に示すように、綴じ具７０を固定した状態で表紙１２を閉じると、リング部８０の上方部分が表表紙部２０に形成されたリング嵌合孔２２に嵌合する。このような構造を有することにより、綴じ具７０を固定した表紙１２は、その閉じた状態の厚さを薄くすることができる。また、仮留め凸部２４の中央の２つのリング嵌合孔２２の互いに対向する側壁から突出する部分が、リング部８０上端の内側に入り込むため、表表紙部２０が綴じ具７０によって仮留めされ、表紙１２および綴じ具７０を閉じた状態を維持することができる。
【００２１】
＜用紙９０について＞
図７は、図１に示す手帳に用いられる用紙を示す平面図である。用紙９０は、図７に示すように、略矩形状であり、幅方向の一方の端辺には、リング部８０それぞれに対応した位置にリング部８０それぞれを挿通するための綴じ孔９８が形成される。用紙９０を平面視したときの面積は、表表紙部２０または裏表紙部４０を平面視したときの面積よりやや小さい。すなわち、裏表紙部４０に固定された綴じ具７０に用紙９０を綴じ、表紙１２を閉じた状態にして平面視すると、表表紙部２０が被さって、用紙９０を視認できない態様となる。この綴じ孔９８それぞれに上述したリング部８０の他方の端部８０ｂそれぞれが挿通されることにより、用紙９０は綴じ具７０に綴じられる。綴じ孔９８それぞれを平面視したときの面積は、リング部８０それぞれをその延びる方向に直交して切断したときの断面積よりも大きい。こうすることにより、用紙９０の綴じ孔９８それぞれにリング部８０それぞれを挿通することができ、且つ綴じ具７０に綴じられた状態の用紙９０をスムーズにめくることができる。
【００２２】
＜インデックスシート１００について＞
インデックスシート１００は、綴じ具７０に一緒に綴じられた複数枚の用紙９０の索引に用いるためのものであり、第１のシート１２０、第２のシート１４０および第３のシート１６０を含む。第１のシート１２０、第２のシート１４０および第３のシート１６０それぞれは、後述するインデックス部１２６，１４６，１６６をそれぞれ有するが、そのインデックス部１２６，１４６，１６６が、高さ方向において互いに異なる位置に形成される。取付け部１０２は、その中心を通る直線である軸線Ｌ１が、綴じ具７０の長手方向および用紙９０の高さ方向に平行にのびる略々帯状である。支持部１０４は、その中心を通る直線である軸線Ｌ２が、前記取付け部１２２の軸線Ｌ１と直交する方向にのび、略々帯状である。インデックス部１０６は、その中心を通る直線である軸線Ｌ３が、綴じ具７０の長手方向および用紙９０の高さ方向と平行にのび、且つ前記取付け部１２２の軸線Ｌ１と平行にのび、略々帯状である。
【００２３】
＜第１のシート１２０について＞
第１のシート１２０は、図８に示すように、長手方向にのび、その幅方向の一方の端辺が綴じ具７０に綴じられる帯状の取付け部１２２と、取付け部１２２の幅方向の他方の端辺の略中央部よりも上側から帯状にのびるように形成された支持部１２４とを含む。ここで、略中央部よりも上側とは、支持部１２４の幅方向の寸法だけ略中央部よりも上側のことをいう。取付け部１２２および支持部１２４を合わせた幅方向の寸法は、一緒に綴じられる用紙９０の幅方向の寸法にほぼ等しい。また、支持部１２４の先端には、用紙９０とともに綴じ具７０に綴じられたときに、用紙９０の外側（図中右側）に突出するインデックス部１２６が形成される。取付け部１２２と、支持部１２４と、インデックス部１２６とが一体的に形成されている。
【００２４】
取付け部１２２は、用紙９０の高さ方向にのびている。支持部１２４は、インデックス部１２６を支持するもので、その軸線方向（Ｌ２方向）が取付け部１２２の軸線方向（Ｌ１方向）と交差する方向にのびる。インデックス部１２６は、その軸線方向（Ｌ３方向）が取付け部１２２の軸線方向（Ｌ１方向）に沿って情報を記入できるだけの高さ方向および幅方向の寸法を備えている。また、インデックス部１２６の軸線は、用紙９０の高さ方向にのびている。
【００２５】
支持部１２４およびインデックス部１２６は、綴じ孔１２８（および綴じ孔９８）が並ぶ方向における寸法（すなわち、高さ方向の寸法）が等しい略矩形状であり、互いに一体的に形成される。また、支持部１２４の幅方向の寸法は、取付け部１２２の幅方向の寸法よりも小さい。また、第１のシート１２０のインデックス部１２６には、用紙９０に表された情報の索引となる「ＤＩＡＲＹ」の文字が記載される。
【００２６】
取付け部１２２の幅方向の一方の端辺には、リング部８０それぞれに対応した位置にリング部８０それぞれを挿通するための綴じ孔１２８が形成される。この綴じ孔１２８それぞれに上述したリング部８０の他方の端部８０ｂそれぞれが挿通されることにより、第１のシート１２０は綴じ具７０に綴じられる。綴じ孔１２８それぞれを平面視したときの面積は、上述した用紙９０の綴じ孔９８のそれとほぼ等しい。すなわち、綴じ孔１２８それぞれを平面視したときの面積は、リング部８０それぞれをその延びる方向に直交して切断したときの断面積よりも大きい。こうすることにより、第１のシート１２０の綴じ孔１２８それぞれにリング部８０それぞれを挿通することができ、且つ綴じ具７０に綴じられた状態の第１のシート１２０をスムーズにめくることができる。また、複数の綴じ孔１２８のうちで一方の端部に位置する綴じ孔１２８と、他方の端部に位置する綴じ孔１２８との間の距離（図中「Ｗ１」）は、その支持部１２４の幅方向の寸法（図中「Ｗ２」）よりも大きい。すなわち、第１のシート１２０の複数の綴じ孔１２８は、複数の綴じ孔１２８の並ぶ方向において、インデックス部１２６の長さより長い部分に間隔を隔てて形成される。
【００２７】
支持部１２４の上方および下方には、直ぐ下面に綴じられる用紙９０に画線を書き込むことのできる空間を形成する書込み可能部１３０ａ、１３０ｂが形成される。書込み可能部１３０ａ、１３０ｂは、固体物の存在しない空間部で形成される。すなわち、この書込み可能空間１３０ａ，１３０ｂは、支持部を切欠くことによって形成された切欠部である。支持部１２４は、取付け部１２２の軸線方向（Ｌ１方向）に直交した方向にのびる上端辺１２４ａおよび下端辺１２４ｂを含み、支持部１２４の上部に形成される切欠部は、その外縁に、取付け部１２２の軸線方向（Ｌ１方向）にのびる端辺１２２ａと、支持部１２４の上端辺１２４ａとを含む。支持部１２４の下部に形成される切欠部は、その外縁に、取付け部１２２の軸線方向（Ｌ１方向）にのびる端辺１２２ｂと、支持部１２４の下端辺１２４ｂとを含む。インデックス部１２６は、取付け部１２２の軸線方向（Ｌ１方向）に直交した方向にのびる上端辺（すなわち、１２４ａの先端部分）および下端辺（すなわち、１２４ｂの先端部分）と、取付け部１２２の軸線方向（Ｌ１方向）にのびる右端辺１２６ｃとを有する。支持部１２４の上端辺１２４ａと下端辺１２４ｂとは、互いに平行またはほぼ平行である。そして、上端辺１２４ａと下端辺１２４ｂとの間の中心を通る線が軸線Ｌ２である。
【００２８】
第１のシート１２０には、直ぐ下面に綴じられた用紙９０に画線を書き込むことのできる空間を形成する書込み可能部１３０が、取付け部１２２の境界および支持部１２４の境界のうち少なくとも一つに続いて形成される。また、インデックス部１２２は、高さ方向の寸法が、複数の綴じ孔１２８のうちの一方の端部に位置する綴じ孔１２８と他方の端部に位置する綴じ孔１２８との間の距離よりも小さく形成される。さらに、支持部１２４は、高さ方向の寸法が、書込み可能部１３０を形成するために、複数の綴じ孔１２８のうちの一方の端部に位置する綴じ孔１２８と他方の端部に位置する綴じ孔１２８との間の距離よりも小さく形成される。
【００２９】
＜第２のシート１４０について＞
図９は、図１に示す手帳に用いられる第２のシートを示す平面図である。第２のシート１４０は、図９に示すように、その構成が、支持部１４２の形成される位置、およびインデックス部１４６に記載される文字を除いて、上述した第１のシート１２０と同様である。すなわち、第２のシート１４０は、長手方向にのび、その幅方向の一方の端辺が綴じ具７０に綴じられる取付け部１４２と、取付け部１４２の幅方向の他方の端辺の略中央部に形成された支持部１４４とを含む。すなわち、第２のシート１４０の支持部１４４は、上述した第１のシート１２０の支持部１２４よりもその幅方向の寸法だけ下側に帯状にのびるように形成される。取付け部１４２および支持部１４４を合わせた幅方向の寸法は、一緒に綴じられる用紙９０の幅方向の寸法にほぼ等しい。また、支持部１４４の先端には、用紙９０とともに綴じ具７０に綴じられたときに、用紙９０の外側（図中右側）に突出するインデックス部１４６が形成される。取付け部１４２と、支持部１４４と、インデックス部１４６とが一体的に形成されている。
【００３０】
取付け部１４２は、用紙９０の高さ方向にのびている。支持部１４４は、インデックス部１４６を支持するもので、その軸線方向（Ｌ２方向）が取付け部１４２の軸線方向（Ｌ１方向）と交差する方向にのびる。インデックス部１４６は、その軸線方向（Ｌ３方向）が取付け部１４２の軸線方向（Ｌ１方向）に沿って情報を記入できるだけの高さ方向および幅方向の寸法を備えている。また、インデックス部１４６の軸線は、用紙９０の高さ方向にのびている。支持部１４４およびインデックス部１２６は、綴じ孔１４８（および綴じ孔９８）が並ぶ方向における寸法（すなわち、高さ方向の寸法）が等しい略矩形状であり、互いに一体的に形成される。また、支持部１４４の幅方向の寸法は、取付け部１４２の幅方向の寸法よりも小さい。また、第２のシート１４０のインデックス部１４６には、用紙９０に表された情報の索引となる「ＡＤＲＥＳＳ」の文字が記載される。
【００３１】
また、取付け部１４２の幅方向の一方の端辺には、リング部８０それぞれに対応した位置にリング部８０それぞれを挿通するための綴じ孔１４８が形成される。綴じ孔１４８それぞれを平面視したときの面積は、上述した用紙９０および第１のシート１２０のそれとほぼ等しい。また、複数の綴じ孔１４８のうちで一方の端部に位置する綴じ孔１４８と、他方の端部に位置する綴じ孔１４８との間の距離（図中「Ｗ１」）は、その支持部１４４の幅方向の寸法（図中「Ｗ２」）よりも大きい。すなわち、第２のシート１４０の複数の綴じ孔１４８は、複数の綴じ孔１４８の並ぶ方向において、インデックス部１４６の長さより長い部分に間隔を隔てて形成される。
【００３２】
支持部１４４の上方および下方には、直ぐ下面に綴じられる用紙９０に画線を書き込むことのできる空間を形成する書込み可能部１５０ａ、１５０ｂが形成される。すなわち、この書込み可能空間１５０ａ，１５０ｂは、支持部を切欠くことによって形成された切欠部である。支持部１４４は、取付け部１４２の軸線方向（Ｌ１方向）に直交した方向にのびる上端辺１４４ａおよび下端辺１４４ｂを含み、支持部１４４の上部に形成される切欠部は、その外縁に、取付け部１４２の軸線方向（Ｌ１方向）にのびる端辺１４２ａと、支持部１４４の上端辺１４４ａとを含む。支持部１４４の下部に形成される切欠部は、その外縁に、取付け部１４２の軸線方向（Ｌ１方向）にのびる端辺１４２ｂと、支持部１４４の下端辺１４４ｂとを含む。インデックス部１４６は、取付け部１４２の軸線方向（Ｌ１方向）に直交した方向にのびる上端辺（すなわち、１４４ａの先端部分）および下端辺（すなわち、１４４ｂの先端部分）と、取付け部１４２の軸線方向（Ｌ１方向）にのびる右端辺１４６ｃとを有する。
【００３３】
第２のシート１４０には、直ぐ下面に綴じられた用紙９０に画線を書き込むことのできる空間を形成する書込み可能部１５０が、取付け部１４２の境界および支持部１４４の境界のうち少なくとも一つに続いて形成される。また、インデックス部１４２は、高さ方向の寸法が、複数の綴じ孔１４８のうちの一方の端部に位置する綴じ孔１４８と他方の端部に位置する綴じ孔１４８との間の距離よりも小さく形成される。さらに、支持部１４４は、高さ方向の寸法が、書込み可能部１５０を形成するために、複数の綴じ孔１４８のうちの一方の端部に位置する綴じ孔１４８と他方の端部に位置する綴じ孔１４８との間の距離よりも小さく形成される。
【００３４】
＜第３のシート１６０について＞
図１０は、図１に示す手帳に用いられる第３のシートを示す平面図である。第３のシート１６０は、図１０に示すように、その構成が、支持部１６２の形成される位置およびインデックス部１６６に記載される文字を除いて、上述した第１のシート１２０および第２のシート１４０と同様である。すなわち、第３のシート１６０は、長手方向にのび、その幅方向の一方の端辺が綴じ具７０に綴じられる取付け部１６２と、取付け部１６２の幅方向の他方の端辺の略中央部よりも下側から帯状にのびるように形成された支持部１６４とを含む。ここで、略中央部よりも下側とは、支持部１６４の幅方向の寸法だけ略中央部よりも下側のことをいう。取付け部１６２および支持部１６４を合わせた幅方向の寸法は、一緒に綴じられる用紙９０の幅方向の寸法にほぼ等しい。また、支持部１６４の先端には、用紙９０とともに綴じ具７０に綴じられたときに、用紙９０の外側（図中右側）に突出するインデックス部１６６が形成される。取付け部１６２と、支持部１６４と、インデックス部１６６とが一体的に形成されている。
【００３５】
取付け部１６２は、用紙９０の高さ方向にのびている。支持部１６４は、インデックス部１６６を支持するもので、その軸線方向（Ｌ２方向）が取付け部１６２の軸線方向（Ｌ１方向）と交差する方向にのびる。インデックス部１６６は、その軸線方向（Ｌ３方向）が取付け部１６２の軸線方向（Ｌ１方向）に沿って情報を記入できるだけの高さ方向および幅方向の寸法を備えている。また、インデックス部１６６の軸線Ｌ３は、用紙９０の高さ方向にのびている。支持部１６４およびインデックス部１６６は、綴じ孔１６８（および綴じ孔９８）が並ぶ方向における寸法（すなわち、高さ方向の寸法）が等しい略矩形状であり、互いに一体的に形成される。また、支持部１６４の幅方向の寸法は、取付け部１６２の幅方向の寸法よりも小さい。また、第３のシート１６０のインデックス部１６６には、用紙９０に表された情報の索引となる「ＮＯＴＥ」の文字が記載される。
【００３６】
また、取付け部１６２の幅方向の一方の端辺には、リング部８０それぞれに対応した位置にリング部８０それぞれを挿通するための綴じ孔１６８が形成される。綴じ孔１６８それぞれを平面視したときの面積は、上述した用紙９０、第１のシート１２０および第２のシート１４０のそれとほぼ等しい。また、複数の綴じ孔１６８のうちで一方の端部に位置する綴じ孔１６８と、他方の端部に位置する綴じ孔１６８との間の距離（図中「Ｗ１」）は、その支持部１６４の幅方向の寸法（図中「Ｗ２」）よりも大きい。すなわち、第３のシート１６０の複数の綴じ孔１６８は、複数の綴じ孔１６８の並ぶ方向において、インデックス部１６６の長さより長い部分に間隔を隔てて形成される。
【００３７】
支持部１６４の上方および下方には、直ぐ下面に綴じられる用紙９０に画線を書き込むことのできる空間を形成する書込み可能部１７０ａ、１７０ｂが形成される。すなわち、この書込み可能空間１７０ａ，１７０ｂは、支持部を切欠くことによって形成された切欠部である。支持部１６４は、取付け部１６２の軸線方向（Ｌ１方向）に直交した方向にのびる上端辺１６４ａおよび下端辺１６４ｂを含み、支持部１６４の上部に形成される切欠部は、その外縁に、取付け部１６２の軸線方向（Ｌ１方向）にのびる端辺１６２ａと、支持部１６４の上端辺１６４ａとを含む。支持部１６４の下部に形成される切欠部は、その外縁に、取付け部１６２の軸線方向（Ｌ１方向）にのびる端辺１６２ｂと、支持部１６４の下端辺１６４ｂとを含む。インデックス部１６６は、取付け部１６２の軸線方向（Ｌ１方向）に直交した方向にのびる上端辺（すなわち、１６４ａの先端部分）および下端辺（すなわち、１６４ｂの先端部分）と、取付け部１６２の軸方線向にのびる右端辺１６６ｃとを有する。
【００３８】
第３のシート１６０には、直ぐ下面に綴じられた用紙９０に画線を書き込むことのできる空間を形成する書込み可能部１７０が、取付け部１６２の境界および支持部１６４の境界のうち少なくとも一つに続いて形成される。また、インデックス部１６２は、高さ方向の寸法が、複数の綴じ孔１６８のうちの一方の端部に位置する綴じ孔１６８と他方の端部に位置する綴じ孔１６８との間の距離よりも小さく形成される。さらに、支持部１６４は、高さ方向の寸法が、書込み可能部１７０を形成するために、複数の綴じ孔１６８のうちの一方の端部に位置する綴じ孔１６８と他方の端部に位置する綴じ孔１６８との間の距離よりも小さく形成される。
【００３９】
＜手帳１０の詳細について＞
図１１は、図１に示す手帳の、第１のシートが積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と直交した方向（交差した方向）にのびる。また、インデックス部１２６の軸線Ｌ３は、取付け部１２２の軸線Ｌ１に平行またはほぼ平行にのびる。図１１に示す手帳１０は、表紙１２に綴じ具７０を固定し、この綴じ具７０に、第１のシート１２０、複数枚の用紙９０、第２のシート１４０、複数枚の用紙９０、第３のシート１６０および複数枚の用紙９０を順に綴じることにより得る。表紙１２に固定された綴じ具７０に、第１のシート１２０、第２のシート１４０、第３のシート１６０および複数枚の用紙９０を綴じる手順は、下記の通りである。
【００４０】
はじめに、綴じ具７０のリング部８０の他方の端部８０ｂそれぞれと、裏表紙部４０に形成される係合凹部５４それぞれおよび係合孔５６それぞれとの係合を外して、リング部８０それぞれを裏表紙部４０に対して開いた状態にする。次に、リング部８０それぞれを、その他方の端部８０ｂそれぞれから、第１のシート１２０の綴じ孔１２８それぞれ、第２のシート１４０の綴じ孔１４８それぞれ、第３のシート１６０の綴じ孔１６８それぞれおよび複数枚の用紙９０の綴じ孔９８それぞれに挿通する。最後に、リング部８０の他方の端部８０ｂそれぞれと、裏表紙部４０に形成される係合凹部５４それぞれおよび係合孔５６それぞれとを係合させることにより、第１のシート１２０、第２のシート１４０、第３のシート１６０および複数枚の用紙９０が綴じられた手帳１０を得る。
【００４１】
このようにして得られた手帳１０の第１のシート１２０は、その取付け部１２２に直線状に並べて形成された複数の綴じ孔１２８のうちで一方の端部に位置する綴じ孔１２８と、他方の端部に位置する綴じ孔１２８との間の距離が、その支持部１２４の幅方向の寸法よりも大きいことにより、綴じ孔１２８それぞれとリング部８０それぞれとの間の隙間により生じるぐらつきが抑制され、安定した状態で綴じ具７０に綴じられる。すなわち、第１のシート１２０の複数の綴じ孔１２８が、複数の綴じ孔１２８の並ぶ方向において、インデックス部（第１のシート１２０）の長さより長い部分に間隔を隔てて形成されることにより、綴じ孔１２８それぞれとリング部８０それぞれとの間の隙間により生じるぐらつきが抑制され、安定した状態で綴じ具７０に綴じられる。
【００４２】
また、手帳１０の第１のシート１２０は、その支持部１２４が、下面に綴じられる用紙９０上を用紙９０の幅方向にのび、その先端のインデックス部１２６が用紙９０の外側に突出する。そして、図１１に示すように、第１のシート１２０が積層された複数枚の用紙９０の最も上にある用紙９０の上面（すなわち、最上面）となるように見開いた状態では、その支持部１２４の上方および下方に、直ぐ下面に綴じられた用紙に画線を書き込むことのできる空間を形成する書込み可能部１３０ａ，１３０ｂが形成される。すなわち、支持部１２４には、綴じ具７０に綴じられた用紙９０であって支持部１２４の下面の用紙９０に画線などを書き込み可能にするための切欠部（書込み可能部１３０）が形成される。
【００４３】
図１２は、図１に示す手帳の、第２のシートが積層された複数枚の用紙の最も上にある用紙の上面（すなわち、最上面）となるように見開いた状態を示す平面図である。手帳１０の第２のシート１４０は、その取付け部１４２に直線状に並べて形成された複数の綴じ孔１４８のうちで一方の端部に位置する綴じ孔１４８と、他方の端部に位置する綴じ孔１４８との間の距離が、その支持部１４４の幅方向の寸法よりも大きいことにより、綴じ孔１２８それぞれとリング部８０それぞれとの間の隙間により生じるぐらつきが抑制され、安定した状態で綴じ具７０に綴じられる。すなわち、第２のシート１４０の複数の綴じ孔１４８が、複数の綴じ孔１４８の並ぶ方向において、インデックス部（第２のシート１４０）の長さより長い部分に間隔を隔てて形成されることにより、綴じ孔１２８それぞれとリング部８０それぞれとの間の隙間により生じるぐらつきが抑制され、安定した状態で綴じ具７０に綴じられる。
【００４４】
また、手帳１０の第２のシート１４０は、その支持部１４４が、下面に綴じられる用紙９０上を用紙９０の幅方向にのび、その先端のインデックス部１４６が用紙９０の外側に突出する。そして、図１２に示すように、第２のシート１４０が積層された複数枚の用紙９０の最も上にある用紙９０の上面（すなわち、最上面）となるように見開いた状態では、その支持部１４４の上方および下方に、直ぐ下面に綴じられた用紙に画線を書き込むことのできる空間を形成する１５０ａ，１５０ｂが形成される。すなわち、支持部１４４には、綴じ具７０に綴じられた用紙９０であって支持部１４４の下面の用紙９０に画線などを書き込み可能にするための切欠部（書込み可能部１５０）が形成される。
【００４５】
図１３は、図１に示す手帳の、第３のシートが積層された複数枚の用紙の最も上にある用紙の上面（すなわち、最上面）となるように見開いた状態を示す平面図である。手帳１０の第３のシート１６０は、その取付け部１６２に直線状に並べて形成された複数の綴じ孔１６８のうちで一方の端部に位置する綴じ孔１６８と、他方の端部に位置する綴じ孔１６８との間の距離が、その支持部１６４の幅方向の寸法よりも大きいことにより、綴じ孔１２８それぞれとリング部８０それぞれとの間の隙間により生じるぐらつきが抑制され、安定した状態で綴じ具７０に綴じられる。すなわち、第３のシート１６０の複数の綴じ孔１６８が、複数の綴じ孔１６８の並ぶ方向において、インデックス部（第３のシート１６０）の長さより長い部分に間隔を隔てて形成されることにより、綴じ孔１２８それぞれとリング部８０それぞれとの間の隙間により生じるぐらつきが抑制され、安定した状態で綴じ具７０に綴じられる。
【００４６】
また、手帳１０の第３のシート１６０は、その支持部１６４が、下面に綴じられる用紙９０上を用紙９０の幅方向にのび、その先端のインデックス部１６６が用紙９０の外側に突出する。そして、図１３に示すように、第３のシート１６０が積層された複数枚の用紙９０の最も上にある用紙９０の上面（すなわち、最上面）となるように見開いた状態では、その支持部１６４の上方および下方に、直ぐ下面に綴じられた用紙に画線を書き込むことのできる空間を形成する１７０ａ，１７０ｂが形成される。すなわち、支持部１６４には、綴じ具７０に綴じられた用紙９０であって支持部１６４の下面の用紙９０に画線などを書き込み可能にするための切欠部（書込み可能部１７０）が形成される。
【００４７】
図１４は、図１に示す手帳の閉じた状態を表表紙部側から見た状態を示す平面図である。また、図１５は、図１４に示す手帳のＸＶ−ＸＶ断面図である。第２のシート１４０の支持部１４４は、図１４および図１５に示すように、手帳１０を閉じた状態において、第１のシート１２０の支持部１２４よりもその幅方向の寸法だけ下側に帯状にのびるように形成されるため、その先端のインデックス部１４６が第１のシート１２０のインデックス部１２６のすぐ下側に位置するようになる。また、第３のシート１６０の支持部１６４は、第２のシート１４０の支持部１４４よりもその幅方向の寸法だけ下側に帯状にのびるように形成されるため、その先端のインデックス部１６６が第２のシート１４０のインデックス部１４６のすぐ下側に位置するようになる。すなわち、第１のシート１２０のインデックス部１２６、第２のシート１４０のインデックス部１４６および第３のシート１６０のインデックス部１６６が表表紙部２０の長手方向に連続的に並んだ態様となる。
【００４８】
また、表表紙部２０における第１のシート１２０のインデックス部１２６に対応した位置に第１の表インデックス覗見凹部３２が形成されることにより、手帳１０が閉じられて表表紙部２０がその上面に被さった状態になっても、インデックス部１２６を視認することができる。同様に、表表紙部２０における第２のシート１４０のインデックス部１４６に対応した位置に第２の表インデックス覗見凹部３４が形成されることにより、手帳１０が閉じられて表表紙部２０がその上面に被さった状態になっても、インデックス部１４６を視認することができる。同様に、表表紙部２０における第３のシート１６０のインデックス部１６６に対応した位置に第３の表インデックス覗見凹部３６が形成されることにより、手帳１０が閉じられて表表紙部２０がその上面に被さった状態になっても、インデックス部１６６を視認することができる。なお、裏表紙部４０においても、同様の態様で第１の裏インデックス覗見凹部６２、第２の裏インデックス覗見凹部６４および第３の裏インデックス覗見凹部６６が形成されるため、手帳１０を閉じた状態を裏表紙部４０側から見た場合でも、第１のシート１２０のインデックス部１２６、第２のシート１４０のインデックス部１４６および第３のシート１６０のインデックス部１６６を視認することができる。また、上述した通り、綴じ具７０を固定した状態で表紙１２を閉じると、リング部８０の上方部分が表表紙部２０に形成されたリング嵌合孔２２に嵌合する。このような構造を有することにより、綴じ具７０を固定した表紙１２は、その閉じた状態の厚さを薄くすることができる。
【００４９】
＜第１の変形例について＞
続いて、図１６〜１８を参照しながら、インデックスシート１００の第１の変形例を説明する。図１６〜１８それぞれは、図１に示す手帳の、第１のシートの第１の変形例、第２のシートの第１の変形例、第３のシートの第１の変形例それぞれが積層された複数枚の用紙の最も上にある用紙の上面（すなわち、最上面）となるように見開いた状態を示す平面図である。なお、このインデックスシートの第１の変形例は、取付け部を除いて、上述した実施の形態のインデックスシートと同様であるため、同一部分には同じ参照番号を付し、同様となる説明は繰り返さない。
【００５０】
取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と直交した方向（交差した方向）にのびる。支持部１２４の上端辺１２４ａと下端辺１２４ｂとは、互いに平行またはほぼ平行である。そして、上端辺１２４ａと下端辺１２４ｂとの間の中心を通る線が軸線Ｌ２である。また、インデックス部１２６の軸線Ｌ３は、取付け部１２２の軸線Ｌ１に平行またはほぼ平行にのびる。第１のシート１２０の第１の変形例は、取付け部１２２の長手方向の寸法が、上述した実施の形態に係る第１のシート１２０のそれよりも小さい。こうすることにより、画線を書き込むことのできる書込み可能部１３０をより大きくすることができる。また、第１のシート１２０のこの変形例は、その支持部１２４が、取付け部１２２の幅方向の他方の端辺の上端部から帯状にのびるように形成される。
【００５１】
支持部１２４の上方および下方には、直ぐ下面に綴じられる用紙９０に画線を書き込むことのできる空間を形成する書込み可能部１３０ａ、１３０ｂが形成される。すなわち、この書込み可能空間１３０ａ，１３０ｂは、支持部を切欠くことによって形成された切欠部である。支持部１２４は、取付け部１２２の軸線方向（Ｌ１方向）に直交した方向にのびる上端辺１２４ａおよび下端辺１２４ｂを含み、支持部１２４の上部に形成される切欠部は、その外縁に、支持部１２４の上端辺１２４ａを含む。支持部１２４の下部に形成される切欠部は、その外縁に、取付け部１２２の軸線方向（Ｌ１方向）にのびる端辺１２２ｂと、支持部１２４の下端辺１２４ｂとを含む。インデックス部１２６は、取付け部１２２の軸線方向（Ｌ１方向）に直交した方向にのびる上端辺（すなわち、１２４ａの先端部分）および下端辺（すなわち、１２４ｂの先端部分）と、取付け部１２２の軸線方向（Ｌ１方向）にのびる右端辺１２６ｃとを有する。
【００５２】
なお、第１のシート１２０のこの変形例においても、複数の綴じ孔１２８のうちで一方の端部に位置する綴じ孔１２８と、他方の端部に位置する綴じ孔１２８との間の距離（図８の「Ｗ１」に該当）が、支持部１２４の幅方向の寸法（図８の「Ｗ２」に該当）よりも大きい。すなわち、第１のシート１２０の複数の綴じ孔１２８は、複数の綴じ孔１２８の並ぶ方向において、インデックス部（第１のシート１２０）の長さより長い部分に間隔を隔てて形成される。こうすることにより、綴じ孔１２８それぞれとリング部８０それぞれとの間の隙間により生じるぐらつきが抑制されるため、第１のシート１２０のこの変形例を安定した状態で綴じ具７０に綴じることができる。
【００５３】
第２のシート１４０の第１の変形例は、図１７に示すように、取付け部１４２の長手方向の寸法が、上述した実施の形態に係る第２のシート１４０のそれよりも小さい。こうすることにより、画線を書き込むことのできる書込み可能部１５０をより大きくすることができる。また、第２のシート１４０のこの変形例は、その支持部１４４が、取付け部１４２の幅方向の他方の端辺の略中央部から帯状にのびるように形成される。
【００５４】
支持部１４４の上方および下方には、直ぐ下面に綴じられる用紙９０に画線を書き込むことのできる空間を形成する書込み可能部１５０ａ、１５０ｂが形成される。すなわち、この書込み可能空間１５０ａ，１５０ｂは、支持部を切欠くことによって形成された切欠部である。支持部１４４は、取付け部１４２の軸線方向（Ｌ１方向）に直交した方向にのびる上端辺１４４ａおよび下端辺１４４ｂを含み、支持部１４４の上部に形成される切欠部は、その外縁に、取付け部１４２の軸線方向（Ｌ１方向）にのびる端辺１４２ａと、支持部１４４の上端辺１４４ａとを含む。支持部１４４の下部に形成される切欠部は、その外縁に、取付け部１４２の軸線方向（Ｌ１方向）にのびる端辺１４２ｂと、支持部１４４の下端辺１４４ｂとを含む。インデックス部１４６は、取付け部１４２の軸線方向（Ｌ１方向）に直交した方向にのびる上端辺（すなわち、１４４ａの先端部分）および下端辺（すなわち、１４４ｂの先端部分）と、取付け部１４２の軸線方向（Ｌ１方向）にのびる右端辺１４６ｃとを有する。
【００５５】
なお、第２のシート１４０のこの変形例においても、複数の綴じ孔１４８のうちで一方の端部に位置する綴じ孔１４８と、他方の端部に位置する綴じ孔１４８との間の距離（図９の「Ｗ１」に該当）が、支持部１４４の幅方向の寸法（図９の「Ｗ２」に該当）よりも大きい。すなわち、第２のシート１４０の複数の綴じ孔１４８は、複数の綴じ孔１４８の並ぶ方向において、インデックス部（第２のシート１４０）の長さより長い部分に間隔を隔てて形成される。こうすることにより、綴じ孔１４８それぞれとリング部８０それぞれとの間の隙間により生じるぐらつきが抑制されるため、第２のシート１４０のこの変形例を安定した状態で綴じ具７０に綴じることができる。
【００５６】
第３のシート１６０の第１の変形例は、図１８に示すように、取付け部１６２の長手方向の寸法が、上述した実施の形態に係る第３のシート１６０のそれよりも小さい。こうすることにより、画線を書き込むことのできる書込み可能部１７０をより大きくすることができる。また、第３のシート１６０のこの変形例は、その支持部１６４が、取付け部１６２の幅方向の他方の端辺の下端部から帯状にのびるように形成される。
【００５７】
支持部１６４の上方および下方には、直ぐ下面に綴じられる用紙９０に画線を書き込むことのできる空間を形成する書込み可能部１７０ａ、１７０ｂが形成される。すなわち、この書込み可能空間１７０ａ，１７０ｂは、支持部を切欠くことによって形成された切欠部である。支持部１６４は、取付け部１６２の軸線方向（Ｌ１方向）に直交した方向にのびる上端辺１６４ａおよび下端辺１６４ｂを含み、支持部１６４の上部に形成される切欠部は、その外縁に、取付け部１６２の軸線方向（Ｌ１方向）にのびる端辺１６２ａと、支持部１６４の上端辺１６４ａとを含む。支持部１６４の下部に形成される切欠部は、その外縁に、支持部１６４の下端辺１６４ｂを含む。インデックス部１６６は、取付け部１６２の軸線方向（Ｌ１方向）に直交した方向にのびる上端辺（すなわち、１６４ａの先端部分）および下端辺（すなわち、１６４ｂの先端部分）と、取付け部１６２の軸線方向（Ｌ１方向）にのびる右端辺１６６ｃとを有する。
【００５８】
なお、第３のシート１６０のこの変形例においても、複数の綴じ孔１６８のうちで一方の端部に位置する綴じ孔１６８と、他方の端部に位置する綴じ孔１６８との間の距離（図１０の「Ｗ１」に該当）が、支持部１６４の幅方向の寸法（図１０の「Ｗ２」に該当）よりも大きい。すなわち、第３のシート１６０の複数の綴じ孔１６８は、複数の綴じ孔１６８の並ぶ方向において、インデックス部（第３のシート１６０）の長さより長い部分に間隔を隔てて形成される。こうすることにより、綴じ孔１６８それぞれとリング部８０それぞれとの間の隙間により生じるぐらつきが抑制されるため、第３のシート１６０のこの変形例を安定した状態で綴じ具７０に綴じることができる。
【００５９】
なお、第１のシート１２０、第２のシート１４０および第３のシート１６０のこの変形例は、取付け部１２２，１４２，１６２の長手方向の寸法が綴じ具７０のそれよりも小さいため、上方および下方に複数のリング部８０が余った状態になる。したがって、第１のシート１２０、第２のシート１４０および第３のシート１６０それぞれは、綴じる位置を高さ方向において変更することができる。すなわち、第１のシート１２０をそのまま第２のシート１４０または第３のシート１６０として用いることができる。同様に、第２のシート１４０をそのまま第１のシート１２０または第３のシート１６０として用いることができ、第３のシート１６０をそのまま第１のシート１２０または第２のシート１４０として用いることができる。このように、取付け部１２２，１４２，１６２の長手方向の寸法を小さくした場合、表紙１２の幅方向の端辺に形成される裏インデックス覗見凹部６０（または表インデックス覗見凹部３０）の位置に合わせて綴じ位置を変更するだけで、第１のシート１２０、第２のシート１４０および第３のシート１６０を多様に用いることができる。なお、後述する第４および第５の変形例についても同様である。
【００６０】
＜第２の変形例について＞
続いて、図１９を参照しながら、インデックスシート１００の第２の変形例を説明する。なお、このインデックスシートの第２の変形例は、支持部を除いて、上述した実施の形態のインデックスシートと同様であるため、同一部分には同じ参照番号を付し、同様となる説明は繰り返さない。また、ここでは第１のシートの第２の変形例についてのみ説明し、第２のシートの第２の変形例、および第３のシートの第２の変形例についての同様となる説明は繰り返さない。
【００６１】
図１９は、図１に示す手帳の、第１のシートの第２の変形例が積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と直交した方向（交差した方向）にのびる。また、インデックス部１２６の軸線Ｌ３は、取付け部１２２の軸線Ｌ１に平行またはほぼ平行にのびる。支持部１２４の上端辺１２４ａと下端辺１２４ｂとは、互いに平行またはほぼ平行である。そして、上端辺１２４ａと下端辺１２４ｂとの間の中心を通る線が軸線Ｌ２である。第１のシート１２０のこの変形例は、支持部１２４の幅方向の寸法が、上述した実施の形態に係る第１のシート１２０のそれよりも小さい。言い換えると、上述した実施の形態に係る第１のシートは、その支持部１２４と、その先端のインデックス部１２６の幅方向の寸法が等しいものであったが、この第１のシートのこの変形例は、その支持部１２４の幅方向の寸法が、その先端のインデックス部１２６よりも小さい。具体的には、上述した実施の形態に係る第１のシート１２０の支持部１２４の幅方向の両端を長手方向にわたって切り欠いたような形状であり、且つ先端のインデックス部１２６が上方および下方に突出した形状である。こうすることにより、画線を書き込むことのできる書込み可能部１３０をより大きくすることができる。
【００６２】
支持部１２４の上方および下方には、直ぐ下面に綴じられる用紙９０に画線を書き込むことのできる空間を形成する書込み可能部１３０ａ、１３０ｂが形成される。すなわち、この書込み可能空間１３０ａ，１３０ｂは、支持部を切欠くことによって形成された切欠部である。インデックス部１２６は、支持部１２４の先端から取付け部１２２の軸線方向（Ｌ１方向）において上方に突出する上方突出部と、下方に突出する下方突出部とを有する。支持部１２４の上部に形成される切欠部は、その外縁に、取付け部１２２の軸線方向（Ｌ１方向）にのびる端辺１２２ａと、支持部１２４の上端辺１２４ａと、インデックス部１２６の上方突出部の左端辺１２６ａを含む。支持部１２４の下部に形成される切欠部は、その外縁に、取付け部１２２の軸線方向（Ｌ１方向）にのびる端辺１２２ｂと、支持部１２４の下端辺１２４ｂと、インデックス部１２６の下方突出部の左端辺１２６ｂとを含む。
【００６３】
なお、第１のシート１２０のこの変形例においても、複数の綴じ孔１２８のうちで一方の端部に位置する綴じ孔１２８と、他方の端部に位置する綴じ孔１２８との間の距離（図８の「Ｗ１」に該当）が、支持部１２４の幅方向の寸法（図８の「Ｗ２」に該当）よりも大きい。すなわち、第１のシート１２０の複数の綴じ孔１２８は、複数の綴じ孔１２８の並ぶ方向において、インデックス部（第１のシート１２０）の長さより長い部分に間隔を隔てて形成される。こうすることにより、綴じ孔１２８それぞれとリング部８０それぞれとの間の隙間により生じるぐらつきが抑制されるため、第１のシート１２０のこの変形例を安定した状態で綴じ具７０に綴じることができる。
【００６４】
＜第３の変形例について＞
続いて、図２０を参照しながら、インデックスシート１００の第３の変形例を説明する。なお、このインデックスシートの第３の変形例は、インデックス部を除いて、上述した第２の変形例のインデックスシートとほぼ同様であるため、同一部分には同じ参照番号を付し、同様となる説明は繰り返さない。また、ここでも第１のシートの第３の変形例についてのみ説明し、第２のシートの第３の変形例、および第３のシートの第３の変形例についての同様となる説明は繰り返さない。
【００６５】
図２０は、図１に示す手帳の、第１のシートの第３の変形例が積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と直交した方向（交差した方向）にのびる。また、インデックス部１２６の軸線Ｌ３は、取付け部１２２の軸線Ｌ１に平行またはほぼ平行にのびる。支持部１２４の上端辺１２４ａと下端辺１２４ｂとは、互いに平行またはほぼ平行である。そして、上端辺１２４ａと下端辺１２４ｂとの間の中心を通る線が軸線Ｌ２である。
【００６６】
第１のシート１２０のこの変形例は、支持部１２４の上端辺と、インデックス部１２６の上端辺とが直線状になる。そして、インデックス部１２６が、支持部１２４の先端から下方にのみ突出した形状である。なお、インデックス部１２６が、支持部１２４の先端から上方にのみ突出した形状であってもよい。このように、インデックス部１２６は、支持部１２４の先端から取付け部１２２の軸線方向（Ｌ１方向）において上方および下方の少なくとも一つに突出するよう形成されてもよい。
【００６７】
＜第４の変形例について＞
続いて、図２１を参照しながら、インデックスシート１００の第４の変形例を説明する。なお、このインデックスシートの第４の変形例は、支持部を除いて、上述した第１の変形例のインデックスシートとほぼ同様であるため、同一部分には同じ参照番号を付し、同様となる説明は繰り返さない。また、ここでも第１のシートの第４の変形例についてのみ説明し、第２のシートの第４の変形例、および第３のシートの第４の変形例についての同様となる説明は繰り返さない。
【００６８】
図２１は、図１に示す手帳の、第１のシートの第４の変形例が積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１の斜め下方向（交差した方向）にのびる。また、インデックス部１２６の軸線Ｌ３は、取付け部１２２の軸線Ｌ１に平行またはほぼ平行にのびる。支持部１２４の上端辺１２４ａと下端辺１２４ｂとは、互いに平行またはほぼ平行である。そして、上端辺１２４ａと下端辺１２４ｂとの間の中心を通る線が軸線Ｌ２である。したがって、第１のシート１２０のこの変形例は、高さ方向において、インデックス部１２４の中央部が取付け部１２２の中央部よりも下方に位置する。なお、支持部１２４は、図中斜め上方向にのびた形状であってもよい。このように、支持部１２６は、取付け部１２２の軸線方向（Ｌ１方向）に交差した方向にのびるように形成されていればよい。
【００６９】
＜第５の変形例について＞
続いて、図２２を参照しながら、インデックスシート１００の第５の変形例を説明する。なお、このインデックスシートの第５の変形例は、支持部を除いて、上述した第４の変形例のインデックスシートとほぼ同様であるため、同一部分には同じ参照番号を付し、同様となる説明は繰り返さない。また、ここでも第１のシートの第５の変形例についてのみ説明し、第２のシートの第５の変形例、および第３のシートの第５の変形例についての同様となる説明は繰り返さない。
【００７０】
図２２は、図１に示す手帳の、第１のシートの第５の変形例が積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と交差した方向にのびる。また、インデックス部１２６の軸線Ｌ３は、取付け部１２２の軸線Ｌ１に平行またはほぼ平行にのびる。支持部１２４の軸線Ｌ２は、取付け部１２２の他方の端辺の略中央から高さ方向の上側に突出するように円弧状にのび、その先から取付け部１２２の軸線方向（Ｌ１方向）に直交した方向にのびる。支持部１２４の上端縁１２４ａと下端縁１２４ｂとは、互いに平行またはほぼ平行である。そして、上端縁１２４ａと下端縁１２４ｂとの間の中心を通る線が軸線Ｌ２である。すなわち、支持部１２４の上端縁１２４ａおよび下端縁１２４ｂも、取付け部１２２の他方の端辺から高さ方向の上側に突出するように円弧状にのび、その先から取付け部１２２の軸線方向（Ｌ１方向）に直交した方向にのびる。したがって、第１のシート１２０のこの変形例は、その支持部１２４が、円弧状に形成された部分を含む。言い換えると、支持部１２４が、波打ったような形状の部分を含む。なお、支持部１２４は、複数の円弧状の部分を含む波打ったような形状であってもよいし、斜め上方向に直線状にのびた後で斜め下方向に直線状にのびる部分を含むジグザグしたような形状であってもよい。このように、支持部１２６は、取付け部１２２の軸線方向（Ｌ１方向）に交差した方向にのびるように形成されていればよい。
【００７１】
＜第６の変形例について＞
続いて、図２３を参照しながら、インデックスシート１００の第６の変形例を説明する。なお、このインデックスシートの第６の変形例は、支持部を除いて、上述した実施の形態および第１〜５の変形例と同様であるため、同一部分には同じ参照番号を付し、同様となる説明は繰り返さない。また、ここでも第１のシートの第６の変形例についてのみ説明し、第２のシートの第６の変形例、および第３のシートの第６の変形例についての同様となる説明は繰り返さない。
【００７２】
図２３は、図１に示す手帳の、第１のシートの第６の変形例が積層された複数枚の用紙の最も上にある用紙の上面（すなわち、最上面）となるように見開いた状態を示す平面図である。取付け部１２２の軸線をＬ１、支持部１２４の軸線をＬ２、インデックス部１２６の軸線をＬ３として、図中一点鎖線で示す。支持部１２４の軸線Ｌ２は、取付け部１２２の軸線Ｌ１と交差した方向にのびる。また、インデックス部１２６の軸線Ｌ３は、取付け部１２２の軸線Ｌ１に平行またはほぼ平行にのびる。
【００７３】
上述した実施の形態および第１〜５の変形例では、支持部が帯状である場合について説明した。一方、第１のシート１２０のこの変形例は、図２３に示すように、第１のシート１２０のインデックス部１２０を除く部分の外周形状が、一緒に綴じられる用紙９０のそれとほぼ同じであり、且つ外周の内側の部分に刳り抜いたような切欠き部を有して形成される。すなわち、支持部１２４は、その上端辺を形成する外枠１２４ｇ、その下端辺を形成する外枠１２４ｈ、その右端辺を形成する外枠１２４ｉからなる。上端辺を形成する外枠１２４ｇおよび下端辺を形成する外枠１２４ｈは、取付け部１２２の軸線Ｌ１と直交した方向（交差した方向）にのびる。また、右端辺を形成する外枠１２４ｉは、取付け部１２２の軸線Ｌ１と平行またはほぼ平行にのびる。切欠き部は、上述した書込み可能部１３０に該当する。
【００７４】
このように支持部１２４の内側を刳り抜くようにして書込み可能部１３０を形成することにより、一つの大きな書込み可能部１３０を形成できるため、直ぐ下面に綴じられた用紙９０に効率よく画線を書き込むことができる。なお、支持部１２４の上端辺を形成する外枠１２４ａのその幅方向（すなわち、手帳１０の高さ方向）の寸法と、下端辺を形成する外枠１２４ｂの幅方向（すなわち、手帳１０の高さ方向）の寸法とを足し合わせた寸法は、取付け部１２２のその軸線方向（Ｌ１方向）の寸法（すなわち、手帳１０の高さ方向）の寸法よりも小さい。なお、このように支持部１２４の内側を刳り抜くようにして形成した書込み可能部１３０の外周形状は、たとえば、四角形、円形、格子状、横または縦に直線状の切欠き部が複数並んだ形状など様々なものが考えられるが、直ぐ下面に綴じられる用紙９０に画線を書き込みやすい形状であることが好ましい。
【００７５】
この発明の一実施の形態に係る綴じ具７０が備える位置決め突部５８について説明する。図２４は、図１１に示す手帳のＸＸＩＶ−ＸＸＩＶ断面図である。裏表紙部４０に形成される係合部５２（載置部）には、図２４に示すように、位置決め突部５８が突設される。位置決め突部５８は、複数のリング部８０の他方の端部８０ｂが開いた状態において綴じ孔９８に挿通されることにより用紙９０を位置決めするためのものである。
【００７６】
ここで、位置決め突部５８が作用するために前提となる軸部材７２（およびリング部８０）の係合態様について説明する。この実施の形態に係る綴じ具７０は、平面視したとき、リング部８０のいずれかの他方の端部８０ｂにおける下側の端辺８０ｄに形成された凹部８２と、この凹部８２に係合するように裏表紙部４０に形成された係合孔５６の上側端縁との係合により、複数のリング部８０の他方の端部８０ｂが閉じた状態を維持する。すなわち、この実施の形態に係る綴じ具８０は、リング部８０に形成された凹部８２と、裏表紙部４０に形成された係合孔５６とを含む係合手段を有する。係合手段は、軸部材７２（およびリング部８０）を上方に移動することにより係合が外れる。なお、ここでいう上方とは、複数のリング部８０が並ぶ方向に沿った方向であり、軸部材７２および複数のリング部８０を移動させることにより、係合手段による係合が外れる第１の方向に相当する。さらに、この実施の形態に係る綴じ具７０は、軸部材７２に沿って延びるコイル部と、コイル部の上端および下端それぞれから直線状に延びるあし部とを含むバネ部材２５０（付勢手段）を備える。バネ部材２５０は、そのコイル部が軸部材７２（およびリング部８０）を下方に付勢し、且つそのあし部が軸部材７２（およびリング部８０）を複数のリング部８０が開く方向へと回転するように付勢する。なお、ここでいう下方とは、第１の方向と反対向きの方向であり、付勢部材が、リング部８０の他方の端部８０ｂが閉じた状態を維持するため、軸部材７２を付勢する第２の方向に相当する。
【００７７】
この実施の形態に係る綴じ具７０は、バネ部材２５０の下方（第２の方向）への付勢力により、係合手段を係合させ、複数のリング部８０が閉じた状態を維持する。そして、綴じ具７０は、複数のリング部８０が閉じた状態から、バネ部材２５０の下方（第２の方向）への付勢力に抗って、軸部材７２を上方（第１の方向）に移動させることにより、係合手段の係合が外れる。さらに、このようにして係合手段の係合が外れると、バネ部材２５０のもう一方の付勢力により軸部材７２（およびリング部８０）が複数のリング部８０の開く方向へと回転する。この実施の形態に係る綴じ具７０は、このように、軸部材７２を上方（第１の方向）に移動させることにより、係合手段の係合が外され、複数のリング部８０を閉じた状態から開いた状態にすることができる。
【００７８】
図２５は、この発明の一実施の形態に係る綴じ具が備える位置決め突部近傍の平面図であり、（Ａ）が複数のリング部の他方の端部が閉じた状態のときの図、（Ｂ）が軸部材および複数のリング部を上方（第１の方向）に移動させた状態の図である。また、図２６は、この発明の一実施の形態に係る綴じ具が備える位置決め突部近傍の側面から見たときの断面図であり、（Ａ）が図２５（Ａ）に対応した断面図、（Ｂ）が図２５（Ｂ）に対応した断面図である。
【００７９】
この発明の一実施の形態に係る綴じ具７０が備える位置決め突部５８は、裏表紙部４０の内面４０ａ（載置部）から突設され、複数のリング部８０の他方の端部８０ｂが閉じた状態のとき、複数のリング部８０のうちいずれかの他方の端部８０ｂと連なって略リング状を形成する。すなわち、位置決め突部５８に対応する位置に配設されたリング部８０は、その他のリング部８０よりもその円弧の長さが短い。この実施の形態に係る綴じ具７０は、位置決め突部５８を２つ備える。なお、綴じ具７０は、位置決め突部５８を１つのみ備えてもよいし、３つ以上備えてもよい。
【００８０】
この実施の形態に係る位置決め突部５８の上側端辺５８ａは、リング部８０の他方の端部８０ｂが閉じた状態を平面視したとき、リング部８０の上側端辺８０ｃよりも所望の距離だけ上側に位置する。なお、ここでの上側は、軸部材７２（および複数のリング部８０）が移動する第１の方向の下流側に相当する。すなわち、位置決め突部５８は、その上側端辺５８ａが下流側端辺に相当し、同様に、リング部８０は、その上側端辺８０ｃが下流側端辺に相当する。所望の距離とは、上記した係合手段の係合が外れるように軸部材７２が上方（第１の方向）に移動する距離に等しいまたは移動する距離よりも大きい距離である。
【００８１】
ここで、特許文献１などに記載の従来の位置決め突部について説明する。図２９は、従来の位置決め突部近傍の複数のリング部の他方の端部が閉じた状態のときの平面図である。なお、図２９において従来の位置決め突部を除いた構成は、上記した手帳１０と同じであるため、他の構成には同じ参照番号を付し、同様となる説明は繰り返さない。従来の位置決め突部３５８は、複数のリング部８０が閉じた状態を平面視したとき、その幅方向（リーフの高さ方向）の寸法が、複数のリング部８０の幅方向（リーフの高さ方向）の寸法にほぼ等しい。このような構成を有する従来の位置決め突部３５８は、図２９に示すように、複数のリング部８０が閉じた状態を平面視したとき、用紙９０の綴じ孔９８において上端側（軸部材７２の可動方向である第１の方向の下流側）に位置した状態のまま軸部材７２（および複数のリング部８０）を上方（第１の方向）に移動させて複数のリング部８０を開こうとしても、綴じ孔９８の縁部にリング部８０の上端辺が突き当たってしまう。これにより、複数のリング部８０を開くことができなかったり、綴じ孔９８が傷んでしまったりという問題が生じてしまう。
【００８２】
一方、この発明の一実施の形態に係る綴じ具７０が備える位置決め突部５８は、上記したような構成を有するため、図２５（Ａ）（Ｂ）に示すように、その上側端辺５８ａ（下流側端辺）が綴じ孔９８の上側端縁に当接することにより、リング部８０の上側端辺８０ｃと綴じ孔９８の端縁とが、係合手段の係合が外れるように軸部材７２が上方（第１の方向）に移動する距離または移動する距離よりも大きい距離だけ離間することが保障される。したがって、綴じ孔９８の縁部にリング部８０の上端辺が突き当たることなく、軸部材７２（および複数のリング部８０）を上方（第１の方向）にスムーズに移動させ、複数のリング部８０を開いた状態にすることができる。
【００８３】
なお、位置決め突部５８の下側端辺５８ｂは、リング部８０の他方の端部８０ｂが閉じた状態を平面視したとき、リング部８０の下側端辺８０ｄと一直線状またはほぼ一直線状になることが好ましい。これにより、位置決め突部５８の下側端辺５８ｂと、リング部８０の下側端辺５８ｄとの間に段差が生じないため、用紙９０の綴じ孔９８が引っ掛ることなく、スムーズに用紙９０を挿入したりページ捲りしたりすることが可能となる。なお、ここでの下側は、軸部材７２（および複数のリング部８０）が移動する第１の方向の上流側に相当する。すなわち、位置決め突部５８は、その下側端辺５８ｂが上流側端辺に相当し、同様に、リング部８０は、その下側端辺８０ｄが上流側端辺に相当する。なお、位置決め突部５８の下側端辺５８ｂ（上流側端辺）は、リング部８０の他方の端部８０ｂが閉じた状態を平面視したとき、リング部８０の下側端辺８０ｄ（上流側端辺）と一直線状またはほぼ一直線状にならないように形成してもよい。図２７は、このような構成の位置決め突部５８を有する綴じ具７０の平面図である。
【００８４】
なお、上記した実施の形態の綴じ具７０は、軸部材７２に沿って延びるコイル部と、コイル部の上端および下端それぞれから直線状に延びるあし部とを含むバネ部材２５０（付勢手段）を備える場合について説明した。しかしながら、バネ部材２５０は、コイル部のみで構成され、あし部を含まなくてもよい。このとき、軸部材７２（およびリング部８０）は、係合手段の係合を外された後、手動で複数のリング部８０が開く方向に回転させることができる。綴じ具７０は、これにより構成が簡略化されるため、コストを低減することができる。なお、上記した実施の形態の綴じ具７０は、バネ部材２５０を含まなくてもよい。このとき、軸部材７２（およびリング部８０）は、係合手段の係合を外されること、および複数のリング部８０が開く方向に回転させることを全て手動で行うことができる。これにより、より構成が簡略化されるため、コストを低減することができる。
【００８５】
なお、位置決め突部５８は、裏表紙部４０の内面４０ａから突設され、閉じられたときの表表紙部２０の内面２０ａもしくは内面２０ａの近傍、または外面もしくは外面の近傍まで延びることが好ましい。このように位置決め突部５８が十分な長さを有することにより、リング部８０が開いた状態において用紙９０を確実に位置決めすることができる。また、リング部８０が閉じた状態においても用紙９０をスムーズにめくることができる。
【００８６】
また、裏表紙部４０に形成される係合部５２を載置部と称したが、位置決め突部５８は、表紙２０を立てて用いる場合なども同様の効果を奏する。
【００８７】
なお、上記した実施の形態の綴じ具７０は、表紙１２に取り付けられて用いられる場合について説明したが、この場合に限られず、綴じ具７０単独で用紙９０を綴じるものであってもよい。
【００８８】
位置決め突部５８の上側端辺５８ａおよび下側端辺５８ｂは、綴り環部を構成するリング部８０の並列方向と交差する方向に拡がる平面である。
リング部８０の上側端辺８０ｃおよび下側端辺８０ｄは、綴り環部を構成するリング部８０の並列方向と交差する方向に拡がる平面である。
綴り環部を開けるときに、軸部材７２を移動させる方向は、綴り環部を構成するリング部８０の並列方向とほぼ平行である。
位置決め突部５８の上側端辺５８ａと下側端辺５８ｂとの間の長さ（Ｌ１）は、リング部８０を閉じた状態を平面視したとき、リング部８０の上側端辺８０ａと下側端辺８０ｂとの間の長さ（Ｌ２）よりも長い。
位置決め突部５８の上側端辺５８ａと下側端辺５８ｂとの間の長さ（Ｌ１）は、綴じ孔９８の下流側の孔辺と上流側の孔辺の間との長さ（Ｌ３）よりは若干短く、用紙９０を、綴じ環部を構成する位置決め突部５８およびリング部８０の間を移動させることができる長さである。
位置決め突部５８が２つ以上のとき、互いに十分な間隔を有して高さ方向に対象の位置に形成されることが好ましい。
位置決め突部５８に対応する位置に配設されたリング部８０（他のリング部８０よりも円弧の長さが短いショートリング部）は、高さ方向から見たとき、位置決め突部５８とともに形成する略半円のリング形状が、他のリング部８０とほぼ同じ径となることが好ましい。
【００８９】
＜まとめについて＞
なお、取付け部（取付け部１２２，１４２，１６２）の長手方向の寸法は、上記したものに限られず、複数の綴じ孔（綴じ孔１２８，１４８，１６８）のうち一方の端部に位置する綴じ孔（綴じ孔１２８，１４８，１６８）と、他方の端部に位置する綴じ孔（綴じ孔１２８，１４８，１６８）との間の距離を、インデックス部（インデックス部１２６，１４６，１６６）の高さ方向の寸法よりも大きく形成できる寸法であればよい。取付け部（取付け部１２２，１４２，１６２）の長手方向の寸法を大きくすることによって、綴じ孔（綴じ孔１２８，１４８，１６８）それぞれとリング部８０それぞれとの間の隙間により生じるぐらつきがさらに抑制され、より安定した状態で綴じ具７０に綴じることができる。一方、取付け部（取付け部１２２，１４２，１６２）の長手方向の寸法を小さくすることによって、書込み可能部（書込み可能部１３０，１５０，１７０）をより大きくすることができる。
【００９０】
また、インデックスシート１００（第１〜３のシート１２０，１４０，１６０）の支持部（支持部１２４，１４４，１６４）の幅方向の寸法は、上述したものに限られず、その幅方向の寸法が、複数の綴じ孔（複数の綴じ孔１２８，１４８，１６８）のうちで一方の端部に位置する綴じ孔（綴じ孔１２８，１４８，１６８）と、他方の端部に位置する綴じ孔（綴じ孔１２８，１４８，１６８）との間の距離よりも小さい寸法であればよい。支持部（支持部１２４，１４４，１６４）の幅方向の寸法を大きくすることによって、インデックスシート１００（第１〜３のシート１２０，１４０，１６０）の強度を強くすることができる。一方、支持部（支持部１２４，１４４，１６４）の幅方向の寸法を小さくすることによって、書込み可能部（書込み可能部１３０，１５０，１７０）をより大きくすることができる。
【００９１】
また、上述の説明では、支持部（支持部１２４，１４４，１６４）の上端縁（１２４ａ，１４４ａ，１６４ａ）と下端縁（１２４ｂ，１４４ｂ，１６４ｂ）が平行であり、その幅方向（すなわち、手帳１０の高さ方向）の寸法が一定である場合を説明した。しかしながら、この場合に限られず、たとえば、上端縁（１２４ａ，１４４ａ，１６４ａ）が図中斜め上方向にのび、且つ下端縁（１２４ｂ，１４４ｂ，１６４ｂ）が図中斜め下方向にのびるような形状であってもよい。
【００９２】
なお、支持部（支持部１２４，１４４，１６４）について、長手方向および幅方向という表記を用いたが、支持部が帯状でない上記したような形状である場合、その長手方向とは、綴じ孔（綴じ孔１２８，１４８，１６８）の並ぶ方向からのびて、一緒に綴じられた用紙９０の外側に突出する方向（すなわち、手帳１０の幅方向）のことを広くいい、その幅方向とは、このような長手方向に直交した方向（すなわち、手帳１０の高さ方向）のことを広くいう。また、取付け部（取付け部１２２，１４２，１６２）についても同様に、その長手方向とは、綴じ孔（綴じ孔１２８，１４８，１６８）の並ぶ方向（すなわち、手帳１０の高さ方向）のことを広くいい、その幅方向とは、このような長手方向に直交した方向（すなわち、手帳１０の幅方向）のことを広くいう。
【００９３】
また、上述の説明では、インデックスシート１００が第１〜３のシート１２０，１４０，１６０の３つのシートからなる場合について説明したが、この場合に限られず、インデックスシート１００が１つまたは２つのシートからなるものであってもよいし、４つ以上のシートからなるものであってもよい。
【００９４】
また、上述した実施の形態では、支持部１２４およびインデックス部１２６は、綴じ孔１２８（および綴じ孔９８）が並ぶ方向における寸法（すなわち、高さ方向の寸法）が等しい略矩形状である場合を説明した。しかしながら、この場合に限られず、支持部１２４およびインデックス部１２６は、綴じ孔１２８（および綴じ孔９８）が並ぶ方向における寸法（すなわち、高さ方向の寸法）は異なるものであってもよい。
【００９５】
また、上述の説明では、インデックスシート１００が透明または半透明のポリプロピレンなどの合成樹脂で形成される場合を説明した。このように透明または半透明の部材で形成することにより、下面に綴じられた用紙９０の画線を全て視認できるため、効率よく書き込み可能空間（書込み可能部１３０，１５０，１７０）に画線を書き込むことができる。なお、この場合に限られず、透明または半透明でない部材でインデックスシート１００を形成してもよい。
【００９６】
また、上述の説明では、表表紙部２０側から見たとき、背表紙部６８が右側に位置する手帳１０について説明した。しかしながら、この場合に限られず、表表紙部２０側から見たとき、背表紙部６８が左側に位置する手帳１０であってもよいし、上側または下側に位置するような手帳１０であってもよい。
【００９７】
また、手帳１０が平面視縦長の四角形である図面を用いて説明したが、この場合に限られず、平面視横長の四角形であってもよいし、平面視略正方形であってもよい。
【００９８】
また、上述の説明では、綴じ具７０が裏表紙部４０に固定される場合を説明したが、これに限られず、背表紙部６８に固定されてもよいし、表表紙部２０に固定されてもよい。
【００９９】
また、上述の説明では、インデックシート１００が手帳１０に用いられ、インデックス部１２６には「ＤＩＡＲＹ」、インデックス部１４６には「ＡＤＲＥＳＳ」、インデックス部１６６には「ＮＯＴＥ」の文字が記載された場合を説明した。しかしながら、これに限られず、たとえば、学習ノートにインデックスシート１００を用いてもよく、この場合、インデックス部（インデックス部１２６，１４６，１６６）それぞれには、「国語」「数学」「英語」などの教科名が記載されてもよい。また、その他のノートや任意のファイルなどの帳面にインデックスシート１００を用いてもよい。このような場合、インデックス部（インデックス部１２６，１４６，１６６）それぞれは、予め適切な索引用の文字を記載して形成されてもよいし、予め文字を記載せず、ユーザーが適切な索引用の文字を選んで記載できるように形成されてもよい。また、インデックス部（インデックス部１２６，１４６，１６６）に文字を記載するには、プリントや手書きする他に、シールを貼り付けるなどしてもよい。また、インデックス部１００（インデックス部１２６，１４６，１６６）を袋状にして、その内部に文字の記載された紙を挿入するようにしてもよい。
【０１００】
なお、取付け部（取付け部１２２，１４２，１６２）の幅方向の寸法は、その一方の端辺に沿って複数の綴じ孔（１２８，１４８，１６８）を形成しても十分な強度を有する大きさであることが好ましい。なお、取付け部（取付け部１２２，１４２，１６２）の幅方向の寸法を小さくすることにより、書き込み可能部（書込み可能部１３０，１５０，１７０）をより大きくすることができる。
【０１０１】
なお、支持部（支持部１２４，１４４，１６４）の幅方向の寸法は、十分な強度を有し、且つ十分に大きな書込み可能部（書込み可能部１３０，１５０，１７０）を形成できる寸法であることが好ましい。
【０１０２】
なお、インデックス部（インデックス部１２６，１４６，１６６）の端辺（図中右端辺）と、用紙９０の端辺（図中右端辺）との間の距離（すなわち、インデックス部の幅方向の寸法）は、インデックス部（インデックス部１２６，１４６，１６６）に索引用の文字などを十分に記入でき、且つ互いに近傍であることが好ましい。
【０１０３】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【０１０４】
１０  手帳
１２  表紙
２０  表表紙部
２０ａ  内面
２０ｂ  外面
２２  リング嵌合孔
２４  仮留め凸部
３０  表インデックス覗見凹部
３２  第１の表インデックス覗見凹部
３４  第２の表インデックス覗見凹部
３６  第３の表インデックス覗見凹部
４０  裏表紙部
４２  固定部
４４  固定凹部
４６  第１の固定凸孔
５２  係合部
５４  係合凹部
５６  係合孔
５８  位置決め突部
５８ａ  位置決め突部の上側端辺（下流側端辺）
５８ｂ  位置決め突部の下側端辺（上流側端辺）
６０  裏インデックス覗見凹部
６２  第１の裏インデックス覗見凹部
６４  第２の裏インデックス覗見凹部
６６  第３の裏インデックス覗見凹部
６８  背表紙部
７０  綴じ具
７２  軸部材
７４  本軸部
７６  第２の固定凸孔
８０  リング部
８０ａ  一方の端部
８０ｂ  他方の端部
８０ｃ  リング部の上側端辺（下流側端辺）
８０ｄ  リング部の下側端辺（上流側端辺）
８２  凹部  ９０  用紙
９８  綴じ孔
１００  インデックスシート
１０２  取付け部
１０４  支持部
１０６  インデックス部
１２０  第１のシート
１２２  取付け部
１２４  支持部
１２６  インデックス部
１２８  綴じ孔
１３０  書込み可能部
１４０  第２のシート
１４２  取付け部
１４４  支持部
１４６  インデックス部
１４８  綴じ孔
１５０  書込み可能部
１６０  第３のシート
１６２  取付け部
１６４  支持部
１６６  インデックス部
１６８  綴じ孔
１７０  書込み可能部
２１０  軸孔
２２０  棒部材
２５０  バネ部材
Ｌ１  位置決め突部５８の上側端辺５８ａと下側端辺５８ｂとの間の長さ
Ｌ２  リング部８０の上側端辺８０ａと下側端辺８０ｂとの間の長さ
Ｌ３  綴じ孔９８の下流側の孔辺と上流側の孔辺の間との長さ
【図１】
2016165881.tif 000003
【図２】
2016165881.tif 000004
【図３】
2016165881.tif 000005
【図４】
2016165881.tif 000006
【図５】
2016165881.tif 000007
【図６】
2016165881.tif 000008
【図７】
2016165881.tif 000009
【図８】
2016165881.tif 000010
【図９】
2016165881.tif 000011
【図１０】
2016165881.tif 000012
【図１１】
2016165881.tif 000013
【図１２】
2016165881.tif 000014
【図１３】
2016165881.tif 000015
【図１４】
2016165881.tif 000016
【図１５】
2016165881.tif 000017
【図１６】
2016165881.tif 000018
【図１７】
2016165881.tif 000019
【図１８】
2016165881.tif 000020
【図１９】
2016165881.tif 000021
【図２０】
2016165881.tif 000022
【図２１】
2016165881.tif 000023
【図２２】
2016165881.tif 000024
【図２３】
2016165881.tif 000025
【図２４】
2016165881.tif 000026
【図２５】
2016165881.tif 000027
【図２６】
2016165881.tif 000028
【図２７】
2016165881.tif 000029
【図２８】
2016165881.tif 000030
【図２９】
2016165881.tif 000031